(57)【要約】  イーサネット（登録商標）仮想専用ルート権限付きマルチポイントサービス（ＥＶＰ−ＲＭＰ）のスマートプロテクションのための方法およびシステムが提供される。この方法は、そのそれぞれの第１の経路上で、第１のルートノードを介してヘッドノードから複数のリーフノードにデータを送るステップと、リーフノードの第１の経路が遮断されている場合、ヘッドノードからデータを受信するために、その第１の経路から第２のルートノードに接続された第２の経路にリーフノードを切り替えるステップと、ヘッドノードからそのデータを受信するために、その他のリーフノードの第１の経路を維持するステップとを含む。この方法およびシステムは、切替時間を削減して、拡張されたサービス信頼性およびサービス柔軟性を取得するために、その他のユーザのサービスを中断せずに、遮断された経路を有するユーザのサービスに効果的な保護を提供する。
2011510534.tif 000002
【特許請求の範囲】
【請求項１】
イーサネット（登録商標）仮想専用ルート権限付きマルチポイントサービスのスマートプロテクションのための方法であって、
そのそれぞれの第１の経路上で、第１のルートノードを介してヘッドノードから複数のリーフノードにデータを送るステップと、
リーフノードの第１の経路が遮断されている場合、ヘッドノードからデータを受信するために、その第１の経路から第２のルードノードに接続された第２の経路にリーフノードを切り替えるステップと、
ヘッドノードからそのデータを受信するために、その他のリーフノードの第１の経路を維持するステップとを含む、方法。
【請求項２】
リーフノードの第１の経路の遮断された状態が、ネットワーク管理システムによって検査される、請求項１に記載の方法。
【請求項３】
所定の期間内に、第１の経路上でリーフノードによって接続性検査メッセージが受信されていない場合、リーフノードの第１の経路の遮断された状態が確認される、請求項２に記載の方法。
【請求項４】
データを送るステップが、同様にそのそれぞれの第２の経路上で、第２のルートノードを介して複数のリーフノードにデータを送信するステップをさらに含む、請求項１から３のいずれか一項に記載の方法。
【請求項５】
切り替えるステップが、それに基づいて第２のルートノードがリーフノードの第２の経路上でデータを送る指示を含む自動保護切替機構によって実行される、請求項１から３のいずれか一項に記載の方法。
【請求項６】
自動保護切替機構が、
遮断された状態に応答して、リーフノードから、その独自のアドレスを含む遠隔欠陥指示を第１のルートノードに送り返すステップと、
遠隔欠陥指示に応答して、第２のルートノードによって第２の経路上でリーフノードにデータを転送するステップとをさらに含む、請求項５に記載の方法。
【請求項７】
リーフノードに関して、ヘッドノードから第１のルートノードへの接続を維持するステップをさらに含む、請求項１から６のいずれか一項に記載の方法。
【請求項８】
第１の経路が回復されたという指示に応答してデータを受信するために、リーフノードをそのそれぞれの第２の経路から第１の経路に切替え復帰するステップをさらに含む、請求項１から７のいずれか一項に記載の方法。
【請求項９】
イーサネット（登録商標）仮想専用ルート権限付きマルチポイントサービスのスマートプロテクションのためのシステムであって、
そのそれぞれの第１の経路上で、ヘッドノードから複数のリーフノードにデータを送るように構成された第１のルートノードと、
複数のリーフノードにそのそれぞれの第２の経路を提供するように構成された第２のルートノードとを含み、
複数のリーフノードのそれぞれが、第１の経路が遮断されている場合、その他のリーフノードがそのそれぞれの第１の経路上でヘッドノードからそのデータを受信しながら、ヘッドノードからデータを受信するために、そのそれぞれの第１の経路から第２の経路に切り替えるように構成された、システム。
【請求項１０】
第１の経路の遮断された状態を検査するためのネットワーク管理システムをさらに含む、請求項９に記載のシステム。
【請求項１１】
所定の期間内に、第１の経路上でそれぞれのリーフノードによって接続性検査メッセージが受信されていない場合、第１の経路の遮断された状態が確認される、請求項１０に記載のシステム。
【請求項１２】
第２のルートノードが、そのそれぞれの第２の経路上でヘッドノードから複数のリーフノードにデータを送るようにさらに構成される、請求項９から１１のいずれか一項に記載のシステム。
【請求項１３】
遮断された第１の経路を有するリーフノードの第２の経路上でデータを送るための指示を第２のルートノードに提供するように構成された自動保護切替機構をさらに含む、請求項９から１１のいずれか一項に記載のシステム。
【請求項１４】
自動保護切替機構が、
遮断された状態に応答して、その独自のアドレスを含む遠隔欠陥指示をリーフノードから第１のルートノードに送り返し、
遠隔欠陥指示に応答して、そのそれぞれの第２の経路上で、第２のルートノードを介してリーフノードにデータを転送するようにさらに構成された、請求項１３に記載のシステム。
【請求項１５】
第１のルートノードが、遮断された第１の経路を有するリーフノードに関して、ヘッドノードへの接続を維持するようにさらに構成された、請求項９から１４のいずれか一項に記載のシステム。
【請求項１６】
複数のリーフノードのそれぞれが、第１の経路が回復されたという指示に応答してデータを受信するために、そのそれぞれの第２の経路から第１の経路に切替え復帰するようにさらに構成された、請求項９から１５のいずれか一項に記載のシステム。
【請求項１７】
イーサネット（登録商標）仮想専用ルート権限付きマルチポイントサービスのスマートプロテクションのための方法であって、
第１のルートノードおよび第２のルードノードを同時に介して、ヘッドノードから複数のリーフノードにデータを送るステップと、
ヘッドノードからデータを受信するために、接続品質に基づいて、複数のリーフノードのそれぞれに関して、それぞれ、第１のルートノードおよび第２のルードノードに接続された２つの経路の間で第１の経路を順応的に選択するステップと、
リーフノードの第１の経路が遮断されている場合、ヘッドノードからデータを受信するために、そのそれぞれの第１の経路から第２の経路にリーフノードを切り替えるステップと、
ヘッドノードからそのデータを受信するために、その他のリーフノードの第１の経路を維持するステップとを含む、方法。
【請求項１８】
イーサネット（登録商標）仮想専用ルート権限付きマルチポイントサービスのスマートプロテクションのためのシステムであって、
ヘッドノードから複数のリーフノードにデータを送るように構成された第１のルートノードと、
ヘッドノードから複数のリーフノードにデータを送るように構成された第２のルートノードとを含み、
複数のリーフノードのそれぞれが、
ヘッドノードからデータを受信するために、接続品質に基づいて、それぞれ、第１のルートノードおよび第２のルートノードに接続された２つの経路の間で第１の経路を順応的に選択し、
第１の経路が遮断されている場合、その他のリーフノードがそのそれぞれの第１の経路上でヘッドノードからそのデータを受信しながら、ヘッドノードからデータを受信するために、そのそれぞれの第１の経路から第２の経路に切り替えるように構成された、システム。
【発明の詳細な説明】
【技術分野】
【０００１】
本発明は、一般に、保護切替の分野に関し、より詳細には、本発明は、イーサネット（登録商標）仮想専用ルート権限付きマルチポイントサービス（Ｅｔｈｅｒｎｅｔ（登録商標）  Ｖｉｒｔｕａｌ  Ｐｒｉｖａｔｅ−Ｒｏｏｔｅｄ  Ｍｕｌｔｉｐｏｉｎｔ  Ｓｅｒｖｉｃｅ）（ＥＶＰ−ＲＭＰ）のスマートプロテクションのための方法およびシステムに関する。
【背景技術】
【０００２】
保護切替は、十分に割り当てられた生存機構である。保護切替は、保護エンティティのルートおよび帯域幅が選択された作動エンティティに関して予約されるという意味で、十分に割り当てられる。保護エンティティに対するそのような冗長接続は、高速かつ簡単な生存機構を提供する。加えて、保護切替を用いると、ネットワークオペレータがネットワーク（例えば、アクティブなネットワークトポロジ）の状態を把握することはより容易である。
【０００３】
ＥＶＰ−ＲＭＰは、２つのルートユーザネットワークインターフェース（ＵＮＩ）をサポートすることが可能である。このシナリオでは、それぞれのリーフＵＮＩは、１つまたは複数のルートＵＮＩとだけデータを交換することが可能である。同様に、ルートは互いに通信することが可能である。かかるサービスでは、拡張されたサービス信頼性およびサービス柔軟性を効果的に可能にする、「当該ルート」に対する冗長アクセスも提供されることが可能である。リーフは、常に、リーフからアクティブなルートに対して伝統的なユニキャスト関係が存在する場合と同様に行動する点に留意されたい。リーフがその他のルートに冗長的に接続されているときですら、すなわち、リーフが複数のツリーに属するときですら、リーフ同士の間に相互作用は存在しない。
【０００４】
ＥＶＰ−ＲＭＰサービスの環境において、２つのタイプの効果的な保護アーキテクチャが存在する、すなわち、１＋１保護アーキテクチャおよび１：１保護アーキテクチャである。図１は、先行技術のマルチルート権限付きＥＶＰ−ＲＭＰサービスに適用された保護切替を概略的に示す。図１では、ルート２は、保護トランスポートエンティティとして（作動トランスポートエンティティである）ルート１専用である。１＋１保護シナリオでは、ヘッドからのトラフィックは複写されて、ルート１とルート２の両方に供給され、次いで、ルート１およびルート２からｎ個のリーフ（リーフ１からリーフｎ）に同時に送信される。それぞれのリーフにおいて、ルート１に接続された経路は、そのトラフィックがそのリーフによって受信される作動経路として選択されることが可能であり、一方、ルート２に接続された経路は、保護経路として選択されることが可能である。当然、作動経路および保護経路の間の選択は、接続品質など、その他の所定の基準に基づいて行われることも可能である。しかし、１：１保護シナリオでは、ヘッドからのトラフィックは、ルート１を介してまたはルート２を介してｎ個のリーフ（リーフ１からリーフｎ）にトランスポートされる。それぞれのリーフは、ルート１を介して、そのそれぞれの作動経路上でトラフィックを受信する。
【０００５】
伝統的な解決策によるマルチルート権限付きＥＶＰ−ＲＭＰサービスでは、１つのルートと複数のリーフとの間の接続のうちの１つ、例えば、ルート１とリーフ１との間の接続が遮断されている場合、ルート１上のすべてのサービスは、別のルート（例えば、ルート２）に切り替えられることになる。したがって、ルート１とその他のリーフ（例えば、リーフ２からリーフｎ）との間のすべての接続は中断されて、ルート１からルート２に切り替えられることになり、次いで、すべてのリーフは、ルート２からそのサービスを得ることになる。１＋１保護シナリオでは、ヘッドは作動ルートと保護ルートの両方に対してサービスを同時に送るため、作動ルートに接続されたそれぞれのリーフは、保護機構が開始されたとき、サービスを受信するために、そのそれぞれの保護経路に切り替えることになる。１：１保護シナリオでは、ヘッドは作動ルートだけにサービスを送り、それにより、保護機構が開始されたとき、ヘッドに接続して、そのそれぞれの保護経路上でリーフのすべてにサービスを転送するための指示を対応する保護ルートに提供することが必要である。
【０００６】
保護切替に関する伝統的な解決策にはいくつかの欠点が存在する。例えば、作動ルートノードと複数のリーフノードとの間の経路のうちの１つが遮断されている場合、作動ルートノードに接続された複数のリーフのすべては、作動経路から保護経路に切り替えられることになる。この作動ルートノードによってサポートされるユーザのすべてのサービスは、これにより、中断されることになり、より多くの追加切替時間を負う可能性があり、これは、サービスプロバイダならびにユーザに不満を抱かせる可能性がある。
【発明の概要】
【発明が解決しようとする課題】
【０００７】
本発明の目的は、同じルートノードに接続されたその他のリーフノードを中断せずに、リーフノードをそのそれぞれの遮断された経路から保護経路に切り替えることが可能で、かつ切替時間を削減することが可能な、スマートプロテクション切替のための改善された方法およびシステムを提供することである。
【課題を解決するための手段】
【０００８】
本発明の第１の態様では、ＥＶＰ−ＲＭＰのスマートプロテクションのための方法が提供される。この方法は、そのそれぞれの第１の経路上で、第１のルートノードを介してヘッドノードから複数のリーフノードにデータを送るステップと、リーフノードの第１の経路が遮断されている場合、ヘッドノードからデータを受信するために、その第１の経路から第２のルートノードに接続された第２の経路にリーフノードを切り替えるステップと、ヘッドノードからそのデータを受信するために、その他のリーフノードの第１の経路を維持するステップとを含む。
【０００９】
本発明の第２の態様では、ＥＶＰ−ＲＭＰのスマートプロテクションのためのシステムが提供される。このシステムは、そのそれぞれの第１の経路上で、ヘッドノードから複数のリーフノードにデータを送るように構成された第１のルートノードと、複数のリーフノードにそのそれぞれの第２の経路を提供するように構成された第２のルートノードとを含み、複数のリーフノードのそれぞれは、第１の経路が遮断されている場合、その他のリーフノードがそのそれぞれの第１の経路上でヘッドノードからそのデータを受信しながら、ヘッドノードからデータを受信するために、そのそれぞれの第１の経路から第２の経路に切り替えるように構成される。
【００１０】
本発明の第３の態様では、ＥＶＰ−ＲＭＰのスマートプロテクションのための方法が提供される。この方法は、第１のルートノードおよび第２のルートノードを同時に介して、ヘッドノードから複数のリーフノードにデータを送るステップと、ヘッドノードからデータを受信するために、接続品質に基づいて、複数のリーフノードのそれぞれに関して、それぞれ、第１のルートノードおよび第２のルードノードに接続された２つの経路の間で第１の経路を順応的に選択するステップと、リーフノードの第１の経路が遮断されている場合、ヘッドノードからデータを受信するために、そのそれぞれの第１の経路から第２の経路にリーフノードを切り替えるステップと、ヘッドノードからそのデータを受信するために、その他のリーフノードの第１の経路を維持するステップとを含む。
【００１１】
本発明の第４の態様では、ＥＶＰ−ＲＭＰのスマートプロテクションのためのシステムが提供される。このシステムは、ヘッドノードから複数のリーフノードにデータを送るように構成された第１のルートノードと、ヘッドノードから複数のリーフノードにデータを送るように構成された第２のルートノードとを含み、複数のリーフノードのそれぞれは、ヘッドノードからデータを受信するために、接続品質に基づいて、それぞれ、第１のルートノードおよび第２のルートノードに接続された２つの経路の間で第１の経路を順応的に選択し、第１の経路が遮断されている場合、その他のリーフノードがそのそれぞれの第１の経路上でヘッドノードからそのデータを受信しながら、ヘッドノードからデータを受信するために、そのそれぞれの第１の経路から第２の経路に切り替えるように構成される。
【００１２】
本発明の新規性のある特徴は、添付の特許請求の範囲に記載される。本発明自体、その別の目的、およびその利点は、添付の図面と共に、好ましい実施形態の以下の詳細な説明を参照することによって最もよく理解されよう。
【図面の簡単な説明】
【００１３】
【図１】先行技術のマルチルート権限付きＥＶＰ−ＲＭＰサービスにおける保護切替を概略的に示す図である。
【図２Ａ】本発明のある実施形態によるマルチルート権限付きＥＶＰ−ＲＭＰサービスにおける１＋１保護切替を概略的に示す図である。
【図２Ｂ】本発明のもう１つの実施形態による、マルチルート権限付きＥＶＰ−ＲＭＰサービスにおける１：１保護切替を概略的に示す図である。
【図３】本発明のある実施形態によるスマートプロテクション機構を例示する概略流れ図である。
【図４Ａ】本発明のある実施形態による１＋１保護シナリオにおいて適用され得るスマートプロテクション機構を示す図である。
【図４Ｂ】本発明のもう１つの実施形態による１：１保護シナリオにおいて適用され得るスマートプロテクション機構を示す図である。
【発明を実施するための形態】
【００１４】
図１は、本発明の背景に関して上で説明されている先行技術のマルチルート権限付きＥＶＰ−ＲＭＰサービスに適用される保護切替を概略的に示す。次に、本発明の好ましい実施形態が詳細に参照される。
【００１５】
本明細書を通じて、「一実施形態」、「ある実施形態」、または類似の言語の参照は、実施形態に関して説明される特定の特徴、構造、または特性が、本発明の少なくとも１つの実施形態に含まれることを意味する。したがって、本明細書を通じた語句「一実施形態では」、「ある実施形態では」および類似の言語の出現は、必ずしもそうであるとは限らないが、すべて同じ実施形態を指す場合がある。
【００１６】
図２Ａは、本発明のある実施形態によるマルチルート権限付きＥＶＰ−ＲＭＰサービスにおける１＋１保護切替を概略的に示す。保護切替機構は、２つの別個の終端、すなわち、ヘッドノードと、リーフ１からリーフｎなど、複数のリーフノードとの間の領域に適用されることが可能である。２つの終端間に、（図２Ａにおいて、それぞれルート１およびルート２と呼ばれる）「作動」トランスポートエンティティと「保護」トランスポートエンティティの両方が存在することになる。ＥＶＰ−ＲＭＰサービスがセットアップされるとき、ルート１とそれぞれのリーフとの間に第１の接続が確立され、同時に、ルート２とそれぞれのリーフとの間に第２の接続も確立される。保護された信号のヘッドノードは、ブリッジ機能を実行することが可能であり、１＋１保護シナリオでは、保護されたサービスは、ルート１とルート２の両方に固定的に橋絡される。ルート１とルート２とは、第１の経路上および第２の経路上で複数のリーフに同じサービスを送る。それぞれのリーフは、選択装置機能を実行することになり、その第１の経路上または第２の経路上でトラフィック信号を選択することが可能である。第１の経路および第２の経路の間のこの選択は、ある所定の基準に基づいて、例えば、作動経路を事前定義して、または遅延およびパケット損失などの接続品質に従って、順応的に信号を選択して行われることが可能である。図２Ａでは、トラフィックデータは、通常の作動経路を提供するように定められたルート１を経由して受信されているとして示される。本明細書で説明されるスマートプロテクション機構は、接続品質に従って順応的に信号を選択する状況にも適用可能であり得る点に留意されたい。
【００１７】
保護切替は、保護された領域内の作動経路上のある欠陥の検出に基づいて発生することになる。例えば、特定のネットワーク管理システムによって開始されたとき、保護切替が実行されるべきである。作動経路のうちの１つの遮断された状態などの異常が検出された場合（図２Ａの（ａ）部分を参照されたい）、保護切替プロセスは、この故障状態について知らされることになる。保護切替プロセスが開始されると、リーフ１など、遮断された作動経路を有するリーフは、その作動経路から保護経路に切り替えて、ルート２からデータを受信し始めることになる（図２Ａの（ｂ）部分を参照されたい）。この保護切替プロセスの間、リーフ２からリーフｎなど、その他のリーフのサービスは中断されないことになる。通常の作動経路を有するその他のリーフは、ルート１を経由してヘッドからデータを受信するために維持されることになる。保護切替プロセスが終了するとき、その他のリーフは、それぞれ、ルート１およびルート２に接続された作動経路と保護経路の両方を有し、一方、遮断された作動経路を有するリーフは、ヘッドからサービスを取得するために、ルート２に接続された保護経路だけを有する。
【００１８】
図２Ｂは、本発明のもう１つの実施形態によるマルチルート権限付きＥＶＰ−ＲＭＰサービスにおける１：１保護切替を概略的に示す。図２Ａの１＋１保護シナリオの状況と類似して、ヘッドノードと、リーフ１からリーフｎなど、複数のリーフノードとの間に、それぞれ、「作動」トランスポートエンティティおよび「保護」トランスポートエンティティとして動作するルート１とルート２とが存在することになる。ＥＶＰ−ＲＭＰサービスがセットアップされるとき、ルート１とそれぞれのリーフとの間に作動接続が確立され、同時に、ルート２とそれぞれのリーフとの間に保護接続も確立される。しかし、かかる１：１保護シナリオでは、保護されたサービスは、ヘッドからルート１だけに橋絡され、これは図２Ａの１＋１保護シナリオのサービスとは異なる。ルート１は、作動経路上で複数のリーフにサービスを送ることになり、それぞれのリーフは、通常の作動経路上でだけそのトラフィックデータを受信することになる。
【００１９】
保護切替プロセスが開始されることになるかどうかについての決定は、作動経路の検査結果に基づいて行われ得る。例えば、イーサネット（登録商標）ＯＡＭ（オペレーション、アドミニストレーション、およびメインテナンス）が、ネットワーク管理システムに従って作動経路のうちの１つの遮断された状態を検出した場合（図２Ｂの（ａ）部分を参照されたい）、保護切替に関係するネットワーク要素は、自動保護切替（ＡＰＳ）機構を経由して、保護条件、保護タイプなど、保護に関する情報を受信することになる。図２Ａの１＋１保護シナリオと比較すると、１：１保護シナリオでは、保護切替動作は、２つの別個の終端（すなわち、ヘッドおよびリーフ）において発生することになる。ＡＰＳ特定の情報は、ルート２に切り替えるための指示をヘッドに提示し、次いで、ルート２は、対応するトラフィックデータを、リーフ１など、遮断された作動経路を有するリーフに転送し始める。それに応じて、リーフ１は、ルート２からデータを受信するために、そのそれぞれの作動経路から保護経路に切り替えることになる。図２Ｂは、作動経路のうちの１つに関する故障状態により、保護切替が発生した状況（図２Ｂの（ｂ）部分を参照されたい）も例示する。この保護切替プロセスの間、リーフ２からリーフｎなど、その他のリーフのサービスは中断されないことになる。通常の作動経路を有するその他のリーフは、ルート１を経由してヘッドからデータを受信するために維持されることになる。
【００２０】
次に、本発明のある実施形態によるスマートプロテクション機構を例示する概略流れ図である図３が参照される。ＥＶＰ−ＲＭＰサービスをサポートして、サービス信頼性およびサービス柔軟性を拡張するために、保護された領域内で作動トランスポートエンティティと保護トランスポートエンティティとが用いられる。ステップ３０２において、それぞれのリーフに関して、作動トランスポートエンティティと保護トランスポートエンティティとに対する接続がそれぞれ確立される。ステップ３０４において、ヘッドからのサービスは、そのそれぞれの作動経路を介してそれぞれのリーフに送られる。図４Ａは、本発明のある実施形態による１＋１保護シナリオに適用される、かかるスマートプロテクション機構を示す。分かりやすくするために、提案されるスマートプロテクション手法を詳細に例示する目的で、ヘッドとリーフのうちの１つとの間の接続だけが示される。図４Ａの（ａ）部分を参照すると、保護されたトラフィックは複写されて、保護された領域のソース（すなわち、ヘッド）と作動トランスポートエンティティおよび保護トランスポートエンティティとの間の固定ブリッジを用いて、作動トランスポートエンティティと保護トランスポートエンティティ（すなわち、ルート１およびルート２）の両方に供給される。したがって、トラフィックが作動トランスポートエンティティを介して送信されるとき、そのトラフィックは、保護トランスポートエンティティを介して、保護された領域の装置（すなわち、リーフ）にも同時に送信され、この場合、作動トランスポートエンティティからのトラフィックおよび保護トランスポートエンティティからのトラフィックの間の選択は、先に記述されたようなある所定の基準に基づいて、保護された領域の装置において選択装置を制御することによって行われる。図４Ｂは、本発明のもう１つの実施形態による１：１保護シナリオに適用されるスマートプロテクション機構を示す。１＋１保護シナリオと比較して、１：１保護シナリオでは、ヘッドと作動トランスポートエンティティおよび保護トランスポートエンティティとの間のブリッジは固定ブリッジではないが、選択装置機能を有する。図３のステップ３０４を実行するために、この選択装置ブリッジは、サービスセットアップ時に作動トランスポートエンティティに接続され、一方、リーフにおいて選択装置は、リーフが作動トランスポートエンティティを介してトラフィックを受信することがきるように、作動経路に切り替わる（図４Ｂの（ａ）部分を参照されたい）。
【００２１】
図３を参照すると、ステップ３０６において、保護切替プロセスが実行されるべきかどうかを決定するために、作動経路の状態が検査される。ある実施形態では、作動経路の接続状態を監視するために、マルチキャストアドレスを用いて、接続性検査メッセージ（Ｃｏｎｔｉｎｕｉｔｙ  Ｃｈｅｃｋ  Ｍｅｓｓａｇｅ）（ＣＣＭ）がルート１からそれぞれのリーフに送られる。ステップ３０８において、作動経路が遮断されていることを意味する、所定の期間内に、その作動経路上で対応するリーフによってＣＣＭが受信されていない場合、この方法は、スマートプロテクション機構が開始されるステップ３１０に進み、そうでない場合、この方法はステップ３０６を始める。
【００２２】
図４Ａの（ｂ）部分を参照すると、これは、作動経路の遮断により保護切替が発生した１＋１保護状態を例示する。ヘッドにおいて、トラフィックは、保護トランスポートエンティティに転送されることになる。リーフにおいて、トラフィックは、選択装置が保護経路に切り替えた状態で、保護トランスポートエンティティから受信される。図４Ｂの（ｂ）部分を参照すると、これは、作動経路の遮断により保護切替が発生した１：１保護状態を例示する。遮断に応答して、リーフは、その独自のアドレスを含む遠隔欠陥指示（ＲＤＩ）をルート１に送り返すことになる。遮断の指示を有するＲＤＩ、例えば、ＲＤＩ＝１を受信するとすぐ、ルート１は、選択装置ブリッジが保護トランスポートエンティティに接続して、リーフの保護経路上でトラフィックを転送するための指示をルート２に提供し、一方、選択装置ブリッジは、作動トランスポートエンティティに対する接続を維持することになる。次いで、作動経路を有するリーフは、ＡＰＳ情報の指示を用いて、そのそれぞれの保護経路に切り替えることになる。
【００２３】
図３を再び参照すると、ステップ３１２において、遮断された作動経路を有するリーフは、そのそれぞれの保護経路上でデータを受信し始め、一方、その他のリーフは、依然として、そのそれぞれの作動経路からデータを受信する。したがって、ルートと、リーフのうちの１つとの間の経路の異常は、その他のリーフを中断しないことになり、遮断された経路だけが切り替わることになり、切替時間は、例えば、５０ｍｓ未満に削減され得る。
【００２４】
本明細書で説明される概略流れ図は、一般に、論理的流れ図として記載される。したがって、示された順序およびラベル付けされたステップは、提示された方法の特定の実施形態を示す。例示された方法の１つもしくは複数のステップ、あるいはその一部に対する機能、論理、または効果の点で均等なその他のステップおよび方法が着想され得る。用いられる形態および記号は、この方法の論理ステップを説明するために提供され、本方法の範囲を限定しないことが理解される。加えて、特定の方法が進む順序は、示された対応するステップの順序に厳密に忠実であっても、忠実でなくてもよい。
【００２５】
遮断された作動経路を有するリーフは、そのそれぞれの保護経路上でデータを受信するが、かかる作動経路は、ＣＣＭによって管理されることが可能であり、特定のネットワーク管理システムに従って、リバーティブ（ｒｅｖｅｒｔｉｖｅ）動作が可能にされ得る。非リバーティブ動作モードにおいて、トラフィックは、保護切替の原因が除去された（例えば、作動経路に関する故障が発生して、後続の修正が完了した）後ですら、保護経路上に留まることが可能にされる。しかし、本発明によるもう１つの実施形態では、リバーティブ動作モードが可能にされ、これにより、トラフィックは、保護切替の原因が除去された後に、作動経路に回復されることが可能である。詳細な動作手順は、図２Ａから図４Ｂに示される保護切替プロセスに類似し、対応する説明はここで繰り返されない。本発明の説明された特徴、構造、または特性は、１つまたは複数の実施形態において任意の適切な形で組み合わされることが可能である。
【００２６】
本発明の特定の実施形態の先の記述は、例示および説明のために提示されている。これらは、網羅的であること、または本発明を開示されたまさにそれらの形態に限定することが意図されず、上の教示に照らして、多くの修正形態および改変形態が当然可能である。これらの実施形態は、それによって、当業者が、企図される特定の使用に適した様々な修正を加えて、本発明ならびに様々な実施形態を最もよく利用することを可能にするために、本発明の原理およびその実用的な適用を最もよく利用可能とするために選択され、説明された。本発明の範囲は、添付の特許請求の範囲およびその均等物によって定義されることが意図される。
【図１】
2011510534.tif 000003
【図２Ａ】
2011510534.tif 000004
【図２Ｂ】
2011510534.tif 000005
【図３】
2011510534.tif 000006
【図４Ａ】
2011510534.tif 000007
【図４Ｂ】
2011510534.tif 000008
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
イーサネット（登録商標）仮想専用ルート権限付きマルチポイントサービスのスマートプロテクションのための方法であって、
そのそれぞれの第１の経路上で、第１のルートノードを介してヘッドノードから複数のリーフノードにデータを送るステップと、
リーフノードの第１の経路が遮断されている場合、ヘッドノードからデータを受信するために、その第１の経路から第２のルードノードに接続された第２の経路にリーフノードを切り替えるステップと、
ヘッドノードからそのデータを受信するために、その他のリーフノードの第１の経路を維持するステップとを含む、方法。
【請求項２】
リーフノードの第１の経路の遮断された状態が、ネットワーク管理システムによって検査され、所定の期間内に、第１の経路上でリーフノードによって接続性検査メッセージが受信されていない場合、リーフノードの第１の経路の遮断された状態が確認される、請求項１に記載の方法。
【請求項３】
データを送るステップが、同様にそのそれぞれの第２の経路上で、第２のルートノードを介して複数のリーフノードにデータを送信するステップをさらに含む、請求項１から２のいずれか一項に記載の方法。
【請求項４】
切り替えるステップが、それに基づいて第２のルートノードがリーフノードの第２の経路上でデータを送る指示を含む自動保護切替機構によって実行される、請求項１から２のいずれか一項に記載の方法。
【請求項５】
自動保護切替機構が、
遮断された状態に応答して、リーフノードから、その独自のアドレスを含む遠隔欠陥指示を第１のルートノードに送り返すステップと、
遠隔欠陥指示に応答して、第２のルートノードによって第２の経路上でリーフノードにデータを転送するステップとをさらに含む、請求項４に記載の方法。
【請求項６】
リーフノードに関して、ヘッドノードから第１のルートノードへの接続を維持するステップと、第１の経路が回復されたという指示に応答してデータを受信するために、リーフノードをそのそれぞれの第２の経路から第１の経路に切替え復帰するステップとをさらに含む、請求項１から５のいずれか一項に記載の方法。
【請求項７】
イーサネット（登録商標）仮想専用ルート権限付きマルチポイントサービスのスマートプロテクションのためのシステムであって、
そのそれぞれの第１の経路上で、ヘッドノードから複数のリーフノードにデータを送るように構成された第１のルートノードと、
複数のリーフノードにそのそれぞれの第２の経路を提供するように構成された第２のルートノードとを含み、
複数のリーフノードのそれぞれが、第１の経路が遮断されている場合、その他のリーフノードがそのそれぞれの第１の経路上でヘッドノードからそのデータを受信しながら、ヘッドノードからデータを受信するために、そのそれぞれの第１の経路から第２の経路に切り替えるように構成された、システム。
【請求項８】
第１の経路の遮断された状態を検査するためのネットワーク管理システムをさらに含み、所定の期間内に、第１の経路上でそれぞれのリーフノードによって接続性検査メッセージが受信されていない場合、第１の経路の遮断された状態が確認される、請求項７に記載のシステム。
【請求項９】
第２のルートノードが、そのそれぞれの第２の経路上でヘッドノードから複数のリーフノードにデータを送るようにさらに構成される、請求項７から８のいずれか一項に記載のシステム。
【請求項１０】
遮断された第１の経路を有するリーフノードの第２の経路上でデータを送るための指示を第２のルートノードに提供するように構成された自動保護切替機構をさらに含む、請求項７から８のいずれか一項に記載のシステム。
【請求項１１】
自動保護切替機構が、
遮断された状態に応答して、その独自のアドレスを含む遠隔欠陥指示をリーフノードから第１のルートノードに送り返し、
遠隔欠陥指示に応答して、そのそれぞれの第２の経路上で、第２のルートノードを介してリーフノードにデータを転送するようにさらに構成された、請求項１０に記載のシステム。
【請求項１２】
第１のルートノードが、遮断された第１の経路を有するリーフノードに関して、ヘッドノードへの接続を維持するようにさらに構成され、複数のリーフノードのそれぞれが、第１の経路が回復されたという指示に応答してデータを受信するために、そのそれぞれの第２の経路から第１の経路に切替え復帰するようにさらに構成された、請求項７から１１のいずれか一項に記載のシステム。
【請求項１３】
イーサネット（登録商標）仮想専用ルート権限付きマルチポイントサービスのスマートプロテクションのための方法であって、
第１のルートノードおよび第２のルードノードを同時に介して、ヘッドノードから複数のリーフノードにデータを送るステップと、
ヘッドノードからデータを受信するために、接続品質に基づいて、複数のリーフノードのそれぞれに関して、それぞれ、第１のルートノードおよび第２のルードノードに接続された２つの経路の間で第１の経路を順応的に選択するステップと、
リーフノードの第１の経路が遮断されている場合、ヘッドノードからデータを受信するために、そのそれぞれの第１の経路から第２の経路にリーフノードを切り替えるステップと、
ヘッドノードからそのデータを受信するために、その他のリーフノードの第１の経路を維持するステップとを含む、方法。
【請求項１４】
イーサネット（登録商標）仮想専用ルート権限付きマルチポイントサービスのスマートプロテクションのためのシステムであって、
ヘッドノードから複数のリーフノードにデータを送るように構成された第１のルートノードと、
ヘッドノードから複数のリーフノードにデータを送るように構成された第２のルートノードとを含み、
複数のリーフノードのそれぞれが、
ヘッドノードからデータを受信するために、接続品質に基づいて、それぞれ、第１のルートノードおよび第２のルートノードに接続された２つの経路の間で第１の経路を順応的に選択し、
第１の経路が遮断されている場合、その他のリーフノードがそのそれぞれの第１の経路上でヘッドノードからそのデータを受信しながら、ヘッドノードからデータを受信するために、そのそれぞれの第１の経路から第２の経路に切り替えるように構成された、システム。
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
イーサネット（登録商標）仮想専用ルート権限付きマルチポイントサービスのスマートプロテクションのための方法であって、
そのそれぞれの第１の経路上で、第１のルートノードを介してヘッドノードから複数のリーフノードにデータを送るステップと、
リーフノードの第１の経路が遮断されている場合、ヘッドノードからデータを受信するために、その第１の経路から第２のルートノードに接続された第２の経路にリーフノードを切り替えるステップと、
ヘッドノードからそのデータを受信するために、その他のリーフノードの第１の経路を維持するステップとを含む、方法。
【請求項２】
リーフノードの第１の経路の遮断された状態が、ネットワーク管理システムによって検査され、所定の期間内に、第１の経路上でリーフノードによって接続性検査メッセージが受信されていない場合、リーフノードの第１の経路の遮断された状態が確認される、請求項１に記載の方法。
【請求項３】
データを送るステップが、同様にそのそれぞれの第２の経路上で、第２のルートノードを介して複数のリーフノードにデータを送信するステップをさらに含む、請求項１から２のいずれか一項に記載の方法。
【請求項４】
切り替えるステップが、それに基づいて第２のルートノードがリーフノードの第２の経路上でデータを送る指示を含む自動保護切替機構によって実行される、請求項１から２のいずれか一項に記載の方法。
【請求項５】
自動保護切替機構が、
遮断された状態に応答して、リーフノードから、その独自のアドレスを含む遠隔欠陥指示を第１のルートノードに送り返すステップと、
遠隔欠陥指示に応答して、第２のルートノードによって第２の経路上でリーフノードにデータを転送するステップとをさらに含む、請求項４に記載の方法。
【請求項６】
リーフノードに関して、ヘッドノードから第１のルートノードへの接続を維持するステップと、第１の経路が回復されたという指示に応答してデータを受信するために、リーフノードをそのそれぞれの第２の経路から第１の経路に切替え復帰するステップとをさらに含む、請求項１から５のいずれか一項に記載の方法。
【請求項７】
イーサネット（登録商標）仮想専用ルート権限付きマルチポイントサービスのスマートプロテクションのためのシステムであって、
そのそれぞれの第１の経路上で、ヘッドノードから複数のリーフノードにデータを送るように構成された第１のルートノードと、
複数のリーフノードにそのそれぞれの第２の経路を提供するように構成された第２のルートノードとを含み、
複数のリーフノードのそれぞれが、第１の経路が遮断されている場合、その他のリーフノードがそのそれぞれの第１の経路上でヘッドノードからそのデータを受信しながら、ヘッドノードからデータを受信するために、そのそれぞれの第１の経路から第２の経路に切り替えるように構成された、システム。
【請求項８】
第１の経路の遮断された状態を検査するためのネットワーク管理システムをさらに含み、所定の期間内に、第１の経路上でそれぞれのリーフノードによって接続性検査メッセージが受信されていない場合、第１の経路の遮断された状態が確認される、請求項７に記載のシステム。
【請求項９】
第２のルートノードが、そのそれぞれの第２の経路上でヘッドノードから複数のリーフノードにデータを送るようにさらに構成される、請求項７から８のいずれか一項に記載のシステム。
【請求項１０】
遮断された第１の経路を有するリーフノードの第２の経路上でデータを送るための指示を第２のルートノードに提供するように構成された自動保護切替機構をさらに含む、請求項７から８のいずれか一項に記載のシステム。
【請求項１１】
自動保護切替機構が、
遮断された状態に応答して、その独自のアドレスを含む遠隔欠陥指示をリーフノードから第１のルートノードに送り返し、
遠隔欠陥指示に応答して、そのそれぞれの第２の経路上で、第２のルートノードを介してリーフノードにデータを転送するようにさらに構成された、請求項１０に記載のシステム。
【請求項１２】
第１のルートノードが、遮断された第１の経路を有するリーフノードに関して、ヘッドノードへの接続を維持するようにさらに構成され、複数のリーフノードのそれぞれが、第１の経路が回復されたという指示に応答してデータを受信するために、そのそれぞれの第２の経路から第１の経路に切替え復帰するようにさらに構成された、請求項７から１１のいずれか一項に記載のシステム。
【請求項１３】
イーサネット（登録商標）仮想専用ルート権限付きマルチポイントサービスのスマートプロテクションのための方法であって、
第１のルートノードおよび第２のルートノードを同時に介して、ヘッドノードから複数のリーフノードにデータを送るステップと、
ヘッドノードからデータを受信するために、接続品質に基づいて、複数のリーフノードのそれぞれに関して、それぞれ、第１のルートノードおよび第２のルートノードに接続された２つの経路の間で第１の経路を順応的に選択するステップと、
リーフノードの第１の経路が遮断されている場合、ヘッドノードからデータを受信するために、そのそれぞれの第１の経路から第２の経路にリーフノードを切り替えるステップと、
ヘッドノードからそのデータを受信するために、その他のリーフノードの第１の経路を維持するステップとを含む、方法。
【請求項１４】
イーサネット（登録商標）仮想専用ルート権限付きマルチポイントサービスのスマートプロテクションのためのシステムであって、
ヘッドノードから複数のリーフノードにデータを送るように構成された第１のルートノードと、
ヘッドノードから複数のリーフノードにデータを送るように構成された第２のルートノードとを含み、
複数のリーフノードのそれぞれが、
ヘッドノードからデータを受信するために、接続品質に基づいて、それぞれ、第１のルートノードおよび第２のルートノードに接続された２つの経路の間で第１の経路を順応的に選択し、
第１の経路が遮断されている場合、その他のリーフノードがそのそれぞれの第１の経路上でヘッドノードからそのデータを受信しながら、ヘッドノードからデータを受信するために、そのそれぞれの第１の経路から第２の経路に切り替えるように構成された、システム。
【国際調査報告】
2011510534.tif 000009
2011510534.tif 000010